(57)【要約】      （修正有）【課題】送受信信号をフィルタし、送受信信号を分離する、改良された同調可能デュプレクサを備える移動局を実現する。【解決手段】移動局はプロセッサと、プロセッサに電気的に通信しているメモリとを含む。アンテナがまた含まれる。移動局は、共通ノードにおいてアンテナと電気的に通信している受信帯域遮断フィルタと、受信帯域遮断フィルタと電気的に通信している受信帯域通過フィルタも含む。また、共通ノードにおいてアンテナと電気的に通信している送信帯域遮断フィルタと、送信帯域遮断フィルタと電気的に通信している、送信帯域通過フィルタを含む。移動局において、送信周波数および受信周波数が取得され、送信帯域遮断フィルタを同調させて、受信周波数を遮断し、送信帯域通過フィルタを同調させて、送信周波数を通過させる。受信帯域遮断フィルタを同調させ、送信周波数を遮断し、受信帯域通過フィルタを同調させて、受信周波数を通過させる。【選択図】図５
2011229163.tif 000002
【特許請求の範囲】
【請求項１】
ワイヤレス通信システム中で使用する移動局において、
アンテナから信号を受け取るように適合された同調可能受信帯域遮断フィルタと、前記受信帯域遮断フィルタからフィルタされた信号を受け取るように適合された同調可能受信帯域通過フィルタとを備える受信パスと、
前記アンテナに信号を提供するように適合された同調可能送信帯域遮断フィルタを備える送信パスと
を具備し、
前記同調可能受信帯域遮断フィルタと前記同調可能送信帯域遮断フィルタとは、共通ノードにおいて結合され、同調可能送信帯域通過フィルタは、前記送信帯域遮断フィルタにフィルタされた信号を提供するように適合されている移動局。
【請求項２】
前記受信帯域遮断フィルタは、送信周波数を遮断するように構成された単極帯域遮断フィルタを備える、請求項１記載の移動局。
【請求項３】
前記送信帯域遮断フィルタは、受信周波数を遮断するように構成された単極帯域遮断フィルタを備える、請求項１記載の移動局。
【請求項４】
前記受信帯域遮断フィルタは、送信周波数を遮断するように構成された単極帯域遮断フィルタを備え、前記送信帯域遮断フィルタは、受信周波数を遮断するように構成された単極帯域遮断フィルタを備える、請求項１記載の移動局。
【請求項５】
前記受信帯域通過フィルタは、前記受信周波数を通過させるように構成された双極帯域通過フィルタを備える、請求項４記載の移動局。
【請求項６】
前記送信帯域通過フィルタは、前記送信周波数を通過させるように構成された双極帯域通過フィルタを備える、請求項５記載の移動局。
【請求項７】
前記受信帯域遮断フィルタは、ゼロ度位相において１の反射係数を持つように構成されている、請求項６記載の移動局。
【請求項８】
前記送信帯域遮断フィルタは、ゼロ度位相において１の反射係数を持つように構成されている、請求項７記載の移動局。
【請求項９】
前記移動局が新しいカバレッジ領域に移動するときに、前記送信帯域遮断フィルタと前記送信帯域通過フィルタとが同調されるように、前記送信帯域遮断フィルタと前記送信帯域通過フィルタの両方は、同調可能フィルタである、請求項８記載の移動局。
【請求項１０】
前記移動局が新しいカバレッジ領域に移動するときに、前記受信帯域遮断フィルタと前記受信帯域通過フィルタとが同調されるように、前記受信帯域遮断フィルタと前記受信帯域通過フィルタの両方は、同調可能フィルタである、請求項９記載の移動局。
【請求項１１】
ワイヤレス通信システム中で使用する移動局において、
ワイヤレス信号を送受信する手段と、
共通ノードにおいて、前記ワイヤレス信号を送受信する手段と電子的に通信する、送信周波数を遮断する手段と、
前記送信周波数を遮断する手段と電子的に通信する、受信周波数を通過させる手段と、
前記共通ノードにおいて、前記ワイヤレス信号を送受信する手段と電子的に通信する、受信周波数を遮断する手段と、
前記受信周波数を遮断する手段と電子的に通信する、送信周波数を通過させる手段と
を具備する移動局。
【請求項１２】
ワイヤレス通信のために構成された移動局中での方法において、
送信周波数および受信周波数を取得することと、
送信パス上の第１の単極帯域遮断フィルタを同調させて、前記受信周波数を遮断することと、
前記送信パス上の第１の双極帯域通過フィルタを同調させて、前記送信周波数を通過させることと、
受信パス上の第２の単極帯域遮断フィルタを同調させて、前記送信周波数を遮断することと、
前記受信パス上の第２の双極帯域通過フィルタを同調させて、前記受信周波数を通過させることと
を含む方法。
【発明の詳細な説明】
【技術分野】
【０００１】
本発明は一般的にワイヤレス通信システムに関連し、さらに詳細には、共通ノードノッチフィルタを備える同調可能デュプレクサを提供するシステムおよび方法に関連する。
【発明の背景】
【０００２】
全二重無線トランシーバは、セルラ電話機のような数多くの移動体通信デバイスにおいて使用されている。このようなトランシーバは、両方が共通アンテナを共有する送信パスおよび受信パスを含む。システムは、受信パスへの送信信号の漏れを防ぐように、そして、送信パスへの受信信号の漏れを防ぐように設計されている。
【０００３】
小型の全二重無線トランシーバは、数多くのセルラ電話機において使用されている。トランシーバの送信パスおよび受信パスの両方は、デュプレクサによってアンテナに対して結合されている。デュプレクサは送信および受信フィルタリングの両方を実行する。デュプレクサは、受信パスへの送信信号の漏れを防ぐように、そして、送信パスへの受信信号の漏れを防ぐように設計されている。
【０００４】
送受信信号を適切にフィルタし、送受信信号を単純なトポロジで分離するデュプレクサを提供することが望ましい。したがって、送受信信号をフィルタし、送受信信号を分離する、改良されたデュプレクサを提供することにより利点が実現されてもよい。
【発明の概要】
【０００５】
同調可能デュプレクサを備える移動局を開示する。移動局はプロセッサと、プロセッサに電気的に通信しているメモリとを含む。アンテナがまた含まれる。移動局は、共通ノードにおいてアンテナと同調可能に電気的に通信している受信帯域遮断フィルタを持つ受信パスを含む。受信パスは、受信帯域遮断フィルタと同調可能に電気的に通信している受信帯域通過フィルタも含む。移動局は、共通ノードにおいてアンテナと同調可能に電気的に通信している送信帯域遮断フィルタを持つ送信パスを含む。送信パスはまた、送信帯域遮断フィルタと同調可能に電気的に通信している、送信帯域通過フィルタを含む。
【０００６】
いくつかの実施形態では、受信帯域遮断フィルタは、送信周波数を遮断するように構成された単極帯域遮断フィルタを備えていてもよい。さらに、受信帯域遮断フィルタは、ゼロ度位相において１の反射係数を持つように構成されていてもよい。受信帯域通過フィルタは、受信周波数を通過させるように構成された双極帯域通過フィルタを備えていてもよい。
【０００７】
送信帯域遮断フィルタは、受信周波数を遮断するように構成された単極帯域遮断フィルタを備えていてもよい。送信帯域遮断フィルタは、ゼロ度段階において１の反射係数を持つように構成されていてもよい。送信帯域通過フィルタは、送信周波数を通過させるように構成された双極帯域通過フィルタを備えていてもよい。
【０００８】
同調可能デュプレクサを備える移動局を開示する。移動局は処理手段と、処理手段と電気的に通信している情報記憶手段を含む。ワイヤレス信号を送受信する手段がまた含まれる。
【０００９】
移動局は、共通ノードにおいて、ワイヤレス信号を送受信する手段と電子的に通信する、送信周波数を遮断する手段を含む。送信周波数を遮断する手段と電子的に通信する、受信周波数を通過させる手段がまた含まれる。共通ノードにおいて、ワイヤレス信号を送受信する手段と電子的に通信する、受信周波数を遮断する手段が含まれる。さらに、移動局は受信周波数を遮断する手段と電子的に通信する、送信周波数を通過させる手段を含む。
【００１０】
ワイヤレス通信のために構成された移動局中での方法がまた開示される。送信周波数および受信周波数が取得される。送信パス上の第１の単極帯域遮断フィルタを同調させて、受信周波数を遮断する。送信パス上の第１の双極帯域通過フィルタを同調させて、送信周波数を通過させる。受信パス上の第２の単極帯域遮断フィルタを同調させて、送信周波数を遮断する。受信パス上の第２の双極帯域通過フィルタを同調させて、受信周波数を通過させる。
【図面の簡単な説明】
【００１１】
【図１】図１は、数々のユーザをサポートし、少なくともいくつかの観点を実現することができる、通信システムの例を図示する。
【図２】図２は、ダウンリンクとアップリンクを図示する基地局と移動局のブロック図である。
【図３】図３は、加入者ユニットの実施形態の機能ブロック図である。
【図４】図４は、移動局中の同調可能デュプレクサシステムの全体のブロック図である。
【図５】図５は、同調可能デュプレクサシステムのより詳細なブロック図である。
【図６】図６は、移動局中で共通ノードノッチフィルタを使用してデュプレクサを同調させるための方法の１つの実施形態のフロー図である。
【実施形態の詳細な説明】
【００１２】
“例示的”という言葉は、“例として、事例として、あるいは、例示として働くこと”を意味するためにここで使用されている。ここで“例示的”として記述した任意の実施形態は、必ずしも他の実施形態より好ましい、または、有利であるとして解釈すべきではない。
【００１３】
この説明全体を通して、例示的な実施形態を典型例として提供するが、代わりの実施形態が、本発明の範囲から逸脱することなく、さまざまな観点を組み込んでもよいことに留意すべきである。特に、１つの実施形態はデータ処理システム、ワイヤレス通信システム、移動体ＩＰネットワークおよびワイヤレス信号を受信および処理することが望ましい他の任意のシステムに対して適用可能である。
【００１４】
ワイヤレス通信システムは、音声、データ等のようなさまざまなタイプの通信を提供するために広く配置されている。これらのシステムは、コード分割多元接続（ＣＤＭＡ）、時分割多元接続（ＴＤＭＡ）、または、他の何らかの変調技術に基づいていてもよい。ＣＤＭＡシステムは他のタイプのシステムよりもいくつかの有利な点を提供し、これには増加したシステム容量が含まれる。
【００１５】
ワイヤレス通信システムは、ここでＩＳ−９５標準規格として参照する“デュアルモード広帯域拡散スペクトラムセルラシステムに対するＴＩＡ／ＥＩＡ／ＩＳ−９５−Ｂ 移動局−基地局互換性標準規格”のような１以上の標準規格をサポートするように設計されてもよく、この標準規格は、ここで３ＧＰＰとして参照する“第３世代パートナーシッププロジェクト”と称されたコンソーシアムにより提供され、この標準規格は、ここで３ＧＰＰ２として参照する“第３世代パートナーシッププロジェクト２”と称されたコンソーシアムにより提供され、ここでＷ−ＣＤＭＡ標準規格として参照する一連の文書と、かつてはＩＳ−２０００ＭＣと参照され、ここでｃｄｍａ２０００標準規格として参照するＴＲ−４５．４とで実現され、一連の文書は、文書番号第３ＧＰＰ ＴＳ ２５．２１１、文書番号第３ＧＰＰ ＴＳ ２５．２１２、文書番号第３ＧＰＰ ＴＳ ２５．２１３、文書番号第３ＧＰＰ ＴＳ ２５．２１４および文書番号第３ＧＰＰ ＴＳ ２５．３０２を含む。
【００１６】
ここで説明したシステムと方法は、高データレート（ＨＤＲ）通信システムとともに使用してもよい。ＨＤＲ通信システムは、コンソーシアム“第３世代パートナーシッププロジェクト２”により公表された、“ｃｄｍａ２０００高データレートパケットデータ無線インターフェイス仕様書”３ＧＰＰ２ Ｃ．００２４−Ａ、バージョン１、２００４年３月のような１以上の標準規格に準拠するように設計されていてもよい。上記標準規格の内容は、ここで参照により組み込まれている。
【００１７】
ここでアクセス端末（ＡＴ）と参照されることがあるＨＤＲ加入者局は、移動体または固定局であってもよく、ここでモデムプールトランシーバ（ＭＰＴ）と参照されることがある１以上のＨＤＲ基地局と通信してもよい。アクセス端末は、ＨＤＲ基地局制御装置に対して、１以上のモデムプールトランシーバを通してデータパケットを送受信し、ＨＤＲ基地局制御装置はここでモデムプール制御装置（ＭＰＣ）と参照されることがある。モデムプールトランシーバおよびモデムプール制御装置は、アクセスネットワークと呼ばれるネットワークの一部である。アクセスネットワークは、複数のアクセス端末間でデータパケットを搬送する。アクセスネットワークは企業イントラネットまたはインターネットのような、アクセスネットワーク外部の追加的ネットワークにさらに接続されていてもよく、各アクセス端末とそのような外部ネットワークとの間でデータパケットを搬送してもよい。１以上のモデムプールトランシーバとアクティブトラフィックチャネル接続を確立しているアクセス端末は、アクティブアクセス端末と呼ばれ、トラフィック状態にあると言われる。１以上のモデムプールトランシーバとアクティブトラフィックチャネル接続を確立しようとしているプロセスにあるアクセス端末は、接続セットアップ状態にあると言われる。アクセス端末は、例えば、光ファイバーまたは同軸ケーブルを使用して、ワイヤレスチャネルを通してまたはワイヤードチャネルを通して通信する任意のデータデバイスであってもよい。アクセス端末はさらに、ＰＣカード、コンパクトフラッシュ（登録商標）、外部または内部モデム、あるいは、ワイヤレスまたは地上線電話機を含むがこれらに制限されない、任意の何らかのタイプのデバイスであってもよい。それを通してアクセス端末がモデムプールトランシーバに信号を送る通信チャネルは、リバースチャネルと呼ばれる。それを通してモデムプールトランシーバがアクセス端末に信号を送る通信チャネルは、フォワードチャネルと呼ばれる。
【００１８】
図１は、数多くのユーザをサポートし、ここで説明した実施形態の少なくともいくつかの観点を実現することができる通信システム１００の例を図示する。さまざまなアルゴリズムおよび方法の任意のものを使用して、システム１００中の送信をスケジュールしてもよい。システム１００は、数多くのセル１０２Ａ−１０２Ｇに対する通信を提供し、各セルは対応している基地局１０４Ａ−１０４Ｇによりそれぞれサービスされる。例示的な実施形態では、基地局１０４のいくつかは複数の受信アンテナを持ち、基地局１０４の他のものは１つの受信アンテナだけを持っている。同様に、基地局１０４のいくつかは複数の送信アンテナを持ち、基地局１０４の他のものは１つの送信アンテナだけを持っている。送信アンテナおよび受信アンテナの組合せについての制約はない。したがって、基地局１０４にとって、複数の送信アンテナと単一の受信アンテナを持っていることと、複数の受信アンテナと単一の送信アンテナを持っていることと、両方単一の送信アンテナと受信アンテナを持っていることと、両方複数の送信アンテナと受信アンテナを持っていることとが可能である。
【００１９】
カバレッジ領域中の遠隔局１０６は、固定されていてもよく（すなわち固定局）、または、移動体であってもよい。図１に示したように、さまざまな遠隔局１０６がシステム全体を通して拡散していてもよい。各遠隔局１０６は、例えば、ソフトハンドオフが採用されるかどうか、または、複数の基地局からの複数の送信を（同時にまたは連続的に）受信するように端末が設計され、動作されているかどうかに依拠して、何らかの所定の時間において、フォワードリンクおよびリバースリンク上で、少なくとも１つの、ことによると、より多くの基地局１０４と通信する。ＣＤＭＡ通信システムにおけるソフトハンドオフは、技術的に周知であり、“ＣＤＭＡセルラ電話システムにおいてソフトハンドオフを提供する方法およびシステム”と題された米国特許第５１０１５０１号に詳細に記述されており、これは本発明の譲受人に譲渡されている。
【００２０】
フォワードリンクは基地局１０４から遠隔局１０６に対する送信を指し、リバースリンクは遠隔局１０６から基地局１０４に対する送信を指す。１つの実施形態では、遠隔局１０６のいくつかは複数の受信アンテナを持ち、遠隔局１０６の他のものは１つの受信アンテナだけを持っている。図１では、基地局１０４Ａはフォワードリンク上で遠隔局１０６Ａと１０６Ｊにデータを送信し、同様に、基地局１０４Ｂは遠隔局１０６Ｂと１０６Ｊにデータを送信し、基地局１０４Ｃは遠隔局１０６Ｃにデータを送信する、等。
【００２１】
図２は、通信システム中の基地局２０２および移動局２０４のブロック図である。基地局２０２は移動局２０４とワイヤレス通信している。上に述べたように、基地局２０２は信号を受信する移動局２０４に信号を送信する。さらに、移動局２０４は基地局２０２に信号を送信する。
【００２２】
図２はダウンリンク３０２として参照されることがあるフォワードリンクと、アップリンク３０４として参照されることがあるリバースリンクとをさらに図示する。ダウンリンク３０２は基地局２０２から移動局２０４に対する送信を指し、アップリンク３０４は移動局２０４から基地局２０２に対する送信を指す。
【００２３】
図３の機能的ブロック図における加入者ユニットシステム４００中に移動局２０４の実施形態を図示した。システム４００はシステム４００の動作を制御するプロセッサ４０２を含む。プロセッサ４０２は中央処理ユニット（ＣＰＵ ）として参照されることがある。メモリ４０４は読出専用メモリ（ＲＯＭ ）およびランダムアクセスメモリ（ＲＡＭ ）の両方を含んでいてもよく、プロセッサ４０２に命令およびデータを提供する。メモリ４０４の一部は不揮発性ランダムアクセスメモリ（ＮＶＲＡＭ ）を含んでいてもよい。
【００２４】
システム４００は、セルラ電話機のようなワイヤレス通信デバイス中で一般的に実現され、システム４００と遠隔ロケーションとの間の音声通信のようなデータを送受信できるようにする、送信機４０８および受信機４１０を収容する筐体４０６を含み、遠隔ロケーションはセルサイト制御装置または基地局２０２のようなものである。送信機４０８および受信機４１０は、トランシーバ４１２中で結合される。アンテナ４１４は筐体４０６に取り付けられ、トランシーバ４１２に電気的に結合されている。（表示していない）追加的アンテナを使用してもよい。送信機４０８、受信機４１０およびアンテナ４１４の動作は技術的に周知であり、ここで記述する必要はない。共通ノードノッチフィルタを備える同調可能デュプレクサを以下に記述する。
【００２５】
システム４００は、トランシーバ４１２により受信される信号を検出して、信号のレベルを計量するのに使用される信号検出器４１６を含む。信号検出器４１６は、総エネルギー、擬似ランダムノイズ（ＰＮ）チップごとのパイロットエネルギー、電力スペクトル密度、および、技術的に周知の他の信号のような信号を検出する。
【００２６】
システム４００の状態変更器４２６は、現在の状態と、トランシーバ４１２により受信され、信号検出器４１６により検出された付加的信号とに基づいて、ワイヤレス通信デバイスの状態を制御する。ワイヤレス通信デバイスは、いくつかの状態のうちの任意の１つで動作することができる。
【００２７】
システム４００はまた、システム決定器４２８を含み、システム決定器４２８はワイヤレス通信デバイスを制御し、そして、現在のサービスプロバイダシステムが不適切であると決定するときに、どのサービスプロバイダシステムに対してワイヤレス通信デバイスを転移すべきかを決定するのに使用される。
【００２８】
システム４００のさまざまな構成部品がバスシステム４３０により互いに結合されており、バスシステム４３０はデータバスに加えて、電力バス、制御信号バス、および、ステータス信号バスを含んでいてもよい。しかしながら明確さのために、図３において、さまざまなバスをバスシステム４３０として図示している。システム４００は、信号を処理する際に使用するデジタル信号プロセッサ（ＤＳＰ）４０７を含んでいてもよい。図３に図示したシステム４００が特定の構成部品のリストではなく、機能的ブロック図であることを当業者は理解するだろう。
【００２９】
ここで開示した方法は、加入者ユニット４００の実施形態中で実現されてもよい。開示したシステムおよび方法は、受信機を備える基地局２０２のような他の通信システムで実現してもよい。開示したシステムおよび方法を実現するのに基地局２０２が使用される場合、図４の機能ブロック図は基地局２０２の機能的ブロック図中の構成部品を説明するのに使用されるだろう。
【００３０】
図４は移動局２０４または加入者ユニット４００における同調可能デュプレクサシステム５００の全体のブロック図である。システム５００はアンテナポート５０２を通して信号を送受信する。デュプレクサ５０４は、アンテナポート５０２、受信パス（ＲＸパス）５０６および送信パス（ＴＸパス）５０８と電気的に通信している。送信パス５０８と受信パス５０６は、（図５に示したように、）共通ノード６１０によりデュプレクサ５０４に対して並列に電気的に接続されている。デュプレクサ５０４は、送信フィルタリングおよび受信フィルタリングの両方を実行する。デュプレクサ５０４は、受信パス５０６への送信信号の漏れを防ぐように、そして、送信パス５０８への受信信号の漏れを防ぐように設計されている。ここで開示するデュプレクサは、送受信信号を単純なトポロジで分離する。
【００３１】
図５は同調可能デュプレクサシステム６００のより詳細なブロック図である。アンテナポート５０２は、共通ノード６１０に電気的に接続されている。送信パス６０８と受信パス６０６は、共通ノード６１０に対して並列に電気的に接続されている。共通ノード６１０は、受信パス６０６上の同調可能単極帯域遮断フィルタ６１２の入力ポートに電気的に接続されている。受信パス帯域遮断フィルタ６１２の出力ポートは同調可能双極帯域通過フィルタ６１４の入力ポートに接続される。概念上ではより高次のフィルタが使用できるが、高次のフィルタを同調させ制御する能力はより困難であり、結果として、いくつかのシナリオでは、より高次のフィルタを回避することが望ましい。受信パス帯域通過フィルタ６１４の出力は、次に低ノイズ増幅器６１５と復調器６１６に提供される。
【００３２】
送信パス６０８は変調器６２２を含む。変調器６２２からの信号は電力増幅器６２３に供給され、電力増幅器６２３は、送信パス同調可能双極帯域通過フィルタ６２０に接続され、送信パス同調可能双極帯域通過フィルタ６２０は送信周波数において同調される。受信パス６０６に関して述べたように、概念上ではより高次のフィルタが使用できるが、高次のフィルタを同調させ制御する能力はより困難であり、結果として、いくつかのシナリオでは、より高次のフィルタが回避される。送信パス帯域通過フィルタ６２０の出力ポートは、送信パス同調可能単極帯域遮断フィルタ６１８の入力ポートに接続される。受信パス６０６と同様に、送信帯域遮断フィルタ６１８の出力ポートは、共通ノード６１０に電気的に接続されている。
【００３３】
示したように、デュプレクサ６００は、各ＲＦパス６０６、６０８中に、望ましくない周波数に対して開回路としてふるまう帯域遮断フィルタ６１２、６１８を埋め込むことにより、共通ノード６１０に接続されているデュアルの双極帯域通過フィルタ６１４、６２０を含む。受信パス６０６において、受信帯域通過フィルタ６１４は、送信周波数において開回路である帯域遮断フィルタ６１２により先行される。帯域遮断フィルタ６１２の反射係数は、ゼロ度位相において１に設定される。
【００３４】
送信パス６０８では同様に、送信帯域通過フィルタ６２０は、受信周波数において開回路である帯域遮断フィルタ６１８により後続される。帯域遮断フィルタ６１８の反射係数は、ゼロ度位相において１に設定される。
【００３５】
図６は移動局において共通ノードノッチフィルタを使用するデュプレクサ６００を同調させる方法の１つの実施形態のフロー図である。ステップ７０２において、移動局２０４に新しい送信周波数および／または受信周波数が提供される。このことが発生してもよい１つの状況は、移動局２０４が、あるチャネル上の１つのカバレッジ領域から、異なるチャネルを使用する他のカバレッジ領域に移動しているときである。基地局２０２は移動局２０４に対して新しい送信周波数および／または受信周波数を提供する。
【００３６】
いったん新しい送信周波数および／または受信周波数が取得されると、ステップ７０４において、移動局２０４はそのフィルタを同調させる。この同調ステップ（７０４）の間にいくつかの異なる同調動作が実行される。帯域遮断フィルタ６１８が受信周波数を遮断するように、移動局２０４は、送信パス６０８上の帯域遮断フィルタ６１８を受信周波数に同調させる。送信パス上の帯域通過フィルタ６２０も、送信周波数を通過させるため送信周波数に同調される。
【００３７】
帯域遮断フィルタ６１２が送信周波数を遮断するように、移動局２０４は、受信パス６０６上の帯域遮断フィルタ６１２を送信周波数に同調させる。受信パス６０６上の帯域通過フィルタ６１４は、受信周波数を通過させるため受信周波数に同調される。いったんフィルタが適切な周波数に同調されると、移動体２０４は、ステップ７１２において通常通話処理動作を開始してもよく、そして、移動体２０４が、送信周波数および／または受信周波数のいずれかを変化させるように再び要求されるまで、移動体２０４は通常動作を続ける。
【００３８】
当業者は、さまざまな異なる技術および技法を使用して情報および信号を表してもよいことを理解するだろう。例えば、上の説明を通して参照された、データ、命令、コマンド、情報、信号、ビット、シンボルおよびチップは、電圧、電流、電磁波、磁界または磁気の粒子、光学界または光の粒子、あるいはこれらの何らかの組み合わせにより、表してもよい。
【００３９】
ここで開示した実施形態に関連して述べられた、さまざまな例示的な論理ブロック、モジュール、回路およびアルゴリズムステップが、電子ハードウェア、コンピュータソフトウェア、あるいは双方の組み合わせたものとして実現されてもよいことを当業者はさらに正しく認識するであろう。ハードウェアおよびソフトウェアの交換可能性を明確に図示するために、さまざまな例示的な構成部品、ブロック、モジュール、回路およびステップを一般的にこれらの機能に関して上述した。そのような機能がハードウェアあるいはソフトウェアとして実現されるか否かは、特定の応用および全体的なシステムに課せられた設計の制約に依存する。当業者は、それぞれの特定の応用に対して方法を変化させて、述べてきた機能を実現してもよいが、そのような実現決定は、本発明の範囲からの逸脱を生じさせるものとして解釈すべきではない。
【００４０】
ここで開示した実施形態に関連して述べた、さまざまな例示的な論理的ブロック、モジュールおよび回路は、汎用プロセッサ、デジタルシグナルプロセッサ（ＤＳＰ）、特定用途向け集積回路（ＡＳＩＣ）、フィールドプログラム可能ゲートアレイ（ＦＰＧＡ）または他のプログラム可能ロジックデバイス、ディスクリートゲートまたはトランジスタロジック、ディスクリートハードウェア構成部品、あるいは、ここで述べてきた機能を実施するために設計されたこれらの組み合わせで、実現されるか、あるいは、実施されてもよい。汎用プロセッサはマイクロプロセッサでもよいが、代替実施形態では、プロセッサは、何らかの従来のプロセッサ、制御装置、マイクロ制御装置、状態機械であってもよい。プロセッサはまた、コンピューティングデバイスの組み合わせとして、例えば、ＤＳＰとマイクロプロセッサの組み合わせ、複数のマイクロプロセッサ、ＤＳＰコアを備えた１つ以上のマイクロプロセッサ、あるいは、このような構成の他の何らかのものとして実行してもよい。
【００４１】
ここで開示した実施形態と関連して述べた方法またはアルゴリズムのステップは、直接、ハードウェアで、プロセッサにより実行されるソフトウェアモジュールで、あるいは、２つの組み合わせで具体化してもよい。ソフトウェアモジュールは、ＲＡＭ メモリ、フラシュメモリ、ＲＯＭ メモリ、電気的プログラム可能ＲＯＭ （ＥＰＲＯＭ ）メモリ、電気的消去可能プログラム可能ＲＯＭ （ＥＥＰＲＯＭ ）メモリ、レジスタ、ハードディスク、リムーブバルディスク、ＣＤ−ＲＯＭ 、あるいは、技術的に知られている他の何らかの形態の記憶媒体に存在していてもよい。例示的な記憶媒体は、プロセッサが記憶媒体から情報を読み取り、記憶媒体に情報を書き込むことができるようにプロセッサに結合される。代替実施形態では、記憶媒体はプロセッサと一体化されてもよい。プロセッサおよび記憶媒体は、ＡＳＩＣ に存在してもよい。ＡＳＩＣ はユーザ端末に存在してもよい。代替実施形態では、プロセッサおよび記憶媒体は、ユーザ端末中のディスクリート構成部品として存在してもよい。
【００４２】
開示した実施形態のこれまでの記述は、当業者が本発明を製作または使用できるように提供した。これらの実施形態に対するさまざま改良は当業者に容易に明らかとなり、ここに定義された一般的な原理は、本発明の精神および範囲を逸脱することなく、他の実施形態に適用されてもよい。したがって、本発明はここに示された実施形態に限定されることを意図しているものではなく、ここで開示されている原理および新しい特徴と一致した最も広い範囲に一致させるべきである。
【図１】
2011229163.tif 000003
【図２】
2011229163.tif 000004
【図３】
2011229163.tif 000005
【図４】
2011229163.tif 000006
【図５】
2011229163.tif 000007
【図６】
2011229163.tif 000008
【手続補正書】
【提出日】平成23年7月1日(2011.7.1)
【手続補正１】
【補正対象書類名】特許請求の範囲
【補正対象項目名】全文
【補正方法】変更
【補正の内容】
【特許請求の範囲】
【請求項１】
ワイヤレス通信システム中で使用する移動局において、
アンテナから信号を受け取るように適合された同調可能受信帯域遮断フィルタと、前記受信帯域遮断フィルタからフィルタされた信号を受け取るように適合された同調可能受信帯域通過フィルタとを備える受信パスと、
前記アンテナに信号を提供するように適合された同調可能送信帯域遮断フィルタと、前記送信帯域遮断フィルタにフィルタされた信号を提供するように適合された同調可能送信帯域通過フィルタとを備える送信パスと
を具備し、
前記受信パス上の同調可能受信帯域遮断フィルタは、基地局によって前記送信パスに割り当てられた送信チャネルに応答して動的に同調される移動局。
【請求項２】
前記受信帯域遮断フィルタは、送信周波数を遮断するように構成された単極帯域遮断フィルタを備える、請求項１記載の移動局。
【請求項３】
前記送信帯域遮断フィルタは、受信周波数を遮断するように構成された単極帯域遮断フィルタを備える、請求項１記載の移動局。
【請求項４】
前記受信帯域遮断フィルタは、送信周波数を遮断するように構成された単極帯域遮断フィルタを備え、前記送信帯域遮断フィルタは、受信周波数を遮断するように構成された単極帯域遮断フィルタを備える、請求項１記載の移動局。
【請求項５】
前記受信帯域通過フィルタは、前記受信周波数を通過させるように構成された双極帯域通過フィルタを備える、請求項４記載の移動局。
【請求項６】
前記送信帯域通過フィルタは、前記送信周波数を通過させるように構成された双極帯域通過フィルタを備える、請求項５記載の移動局。
【請求項７】
前記受信帯域遮断フィルタは、ゼロ度位相において１の反射係数を持つように構成されている、請求項６記載の移動局。
【請求項８】
前記送信帯域遮断フィルタは、ゼロ度位相において１の反射係数を持つように構成されている、請求項７記載の移動局。
【請求項９】
前記移動局が新しいカバレッジ領域に移動するときに、前記送信帯域遮断フィルタと前記送信帯域通過フィルタとが同調されるように、前記送信帯域遮断フィルタと前記送信帯域通過フィルタの両方は、同調可能フィルタである、請求項８記載の移動局。
【請求項１０】
前記移動局が新しいカバレッジ領域に移動するときに、前記受信帯域遮断フィルタと前記受信帯域通過フィルタとが同調されるように、前記受信帯域遮断フィルタと前記受信帯域通過フィルタの両方は、同調可能フィルタである、請求項９記載の移動局。
【請求項１１】
ワイヤレス通信移動局中での方法において、
送信周波数および受信周波数を取得することと、
送信パス上の同調可能帯域遮断フィルタを同調させて、前記受信周波数を遮断することと、
前記送信パス上の帯域通過フィルタを同調させて、前記送信周波数を通過させることと、
受信パス上の同調可能帯域遮断フィルタを同調させて、前記送信周波数を遮断することと、
前記受信パス上の帯域通過フィルタを同調させて、前記受信周波数を通過させることと
を含み、
前記受信パス上の同調可能受信帯域遮断フィルタは、基地局によって前記送信パスに割り当てられた送信チャネルに応答して動的に同調される方法。
【請求項１２】
前記送信パス上の同調可能帯域遮断フィルタは、単極帯域遮断フィルタを備える、請求項１１記載の方法。
【請求項１３】
前記送信パス上の帯域遮断フィルタは、単極帯域遮断フィルタを備える、請求項１１記載の方法。
【請求項１４】
前記受信パス上の同調可能帯域遮断フィルタは、単極帯域遮断フィルタを備える、請求項１１記載の方法。
【請求項１５】
前記送信パス上の帯域通過フィルタは、同調可能帯域通過フィルタを備える、請求項１１記載の方法。
【請求項１６】
前記受信パス上の帯域通過フィルタは、同調可能帯域通過フィルタを備える、請求項１１記載の方法。
【請求項１７】
ワイヤレス通信システムにおいて使用するための移動局において、
送信周波数および受信周波数を取得する手段と、
送信パス上の同調可能帯域遮断フィルタを同調させて、前記受信周波数を遮断する手段と、
前記送信パス上の同調可能帯域通過フィルタを同調させて、前記送信周波数を通過させる手段と、
受信パス上の同調可能帯域遮断フィルタを同調させて、前記送信周波数を遮断する手段と、
前記受信パス上の同調可能帯域通過フィルタを同調させて、前記受信周波数を通過させる手段と
を具備し、
前記受信パス上の同調可能受信帯域遮断フィルタは、基地局によって前記送信パスに割り当てられた送信チャネルに応答して動的に同調される移動局。
【外国語明細書】
2011229163000001.pdf